(57)【要約】【課題】この発明は、セキュリティ性を高め、警備員の負担を軽減することができる入退室管理装置を得ることを目的とする。【解決手段】施錠監視部７ａは、入退室管理領域に関する機器の運用スケジュールから入退室管理領域の利用終了時刻を判断するとともに、利用終了時刻後に扉２の施錠状態を確認し、解錠状態であった場合には、センター装置６に設けられた警報装置６ｃに警報信号を出力する。警報信号を受けた警報装置６ｃは警報音を発し、警備員や部屋１の利用者に注意を促す。【選択図】図１
2006079431.tif 000002
【特許請求の範囲】
【請求項１】
入退室管理領域の出入口に設けられた扉の施錠状態を監視する施錠監視部
を備え、
上記施錠監視部は、上記入退室管理領域に関する機器の運用スケジュールから上記入退室管理領域の利用終了時刻を判断するとともに、利用終了時刻後に上記扉の施錠状態を確認し、解錠状態であった場合には警報信号を出力することを特徴とする入退室管理装置。
【請求項２】
上記施錠監視部は、上記運用スケジュールに変更があった場合には、上記入退室管理領域の利用終了時刻を再判断することを特徴とする請求項１に記載の入退室管理装置。
【発明の詳細な説明】
【技術分野】
【０００１】
この発明は、例えば入退室管理領域を有する建物などにおいて、入退室管理領域の出入口に設けられた扉の施錠状態を管理する入退室管理装置に関するものである。
【背景技術】
【０００２】
従来技術では、個人情報と入退室資格情報とが記載されたＩＣカードをＩＣカードリーダに読み込ませることにより、巡回区域を区切る電気錠ドアの施錠と解錠とが行われていた（例えば、特許文献１参照）。
【０００３】
【特許文献１】特開２００２−４９９８２号公報
【発明の開示】
【発明が解決しようとする課題】
【０００４】
上記のような従来技術では、利用が終了した巡回区域の電気錠ドアの施錠が忘れられている場合があり、解錠されたままの巡回区域が利用中なのかどうかが曖昧となっていた。このため、警備員が定期的に巡回して、巡回区域の利用状態を確認しなければならなかった。
【０００５】
この発明は、上記のような課題を解決するためになされたものであり、セキュリティ性を高め、警備員の負担を軽減することができる入退室管理装置を得ることを目的とする。
【課題を解決するための手段】
【０００６】
この発明に係る入退室管理装置は、入退室管理領域の出入口に設けられた扉の施錠状態を監視する施錠監視部を備え、施錠監視部は、入退室管理領域に関する機器の運用スケジュールから入退室管理領域の利用終了時刻を判断するとともに、利用終了時刻後に扉の施錠状態を確認し、解錠状態であった場合には警報信号を出力する。
【発明の効果】
【０００７】
この発明は、入退室管理領域に関する機器の運用スケジュールから入退室管理領域の利用終了時刻を判断するとともに、利用終了時刻後に扉の施錠状態を確認し、解錠状態であった場合には警報信号を出力するので、セキュリティ性を高め、警備員の負担を軽減することができる。
【発明を実施するための最良の形態】
【０００８】
以下、この発明を実施するための最良の形態について、図面を参照して説明する。
図１は、この発明の実施の形態の一例による入退室管理装置を示す構成図である。図において、入退室管理領域としての部屋１には、出入口１ａが設けられている。出入口１ａは、扉２により開閉される。扉２には、電子錠３が設けられている。また、出入口１ａの近傍には、個人識別データを読み取る個人識別装置４が設けられている。個人識別装置４は、読み取った個人識別データが予め登録された許可者のものであった場合のみ、施錠及び解錠の制御信号を電子錠３に出力する。部屋１には、入退室管理領域に関する機器としての空調装置５が設置されている。
【０００９】
空調装置５の運用管理を行うセンター装置６には、空調装置制御部６ａ、スケジュール記憶部６ｂ、及び警報装置６ｃが設けられている。空調装置制御部６ａは、スケジュール記憶部６ｂに登録された運用スケジュールに基づいて空調装置５を制御する。このため、空調装置制御部６ａは、空調装置５の運用スケジュールのデータをスケジュール記憶部６ｂから読み込む。警報装置６ｃは、警報音を発する装置である。
【００１０】
扉２の施錠状態を監視する入退室管理装置７には、施錠監視部７ａが設けられている。施錠監視部７ａは、空調装置５の運用スケジュールから部屋１の利用終了時刻を判断するとともに、利用終了時刻後に扉２の施錠状態を確認し、解錠状態であった場合には警報信号を出力する。
【００１１】
施錠監視部７ａは、電子錠３から錠の状態信号を読む。また、施錠監視部７ａは、スケジュール記憶部６ｂから空調装置５の運用スケジュールの利用終了時刻データを読む。このとき、施錠監視部７ａは、スケジュール記憶部６ｂから定期的（例えば、毎日午前０時）に利用終了時刻を読むものとする。さらに、施錠監視部７ａは、警報装置６ｃに警報信号を出力する。警報信号を受けた警報装置６ｃは、警報音を発する。
【００１２】
施錠監視部７ａは、中央処理部、メモリ、及び電子時計を有している。中央処理部では、プログラムの実行やデータの処理が行われる。メモリには、この実施の形態で使用されるプログラムやデータ（空調装置５の利用終了時刻データを含む）が格納される。電子時計は、現在時刻と利用終了時刻との比較に使われる。
【００１３】
次に、動作について説明する。図２は、図１の施錠監視部７ａの施錠監視動作を示すフローチャートである。施錠監視部７ａでは、図２に示すような施錠監視動作が所定の周期で繰り返し実行される。施錠監視動作においては、まず、現在時刻と空調装置５の利用終了時刻とが比較される（ステップＳ１０１）。そして、現在時刻が利用終了時刻を過ぎていた場合には、電子錠３が施錠されているかどうかが確認される（ステップＳ１０２）。また、現在時刻が利用終了時刻を過ぎていなければ、この回の動作はそのまま終了する。
【００１４】
現在時刻が利用終了時刻を過ぎており、電子錠３が解錠状態であれば、警報装置６ｃに対して警報信号が出力され（ステップＳ１０３）、警報装置６ｃにより警報音が発せられる。また、現在時刻が利用終了時刻を過ぎていても、電子錠３が施錠状態であれば、この回の動作はそのまま終了する。
【００１５】
このように、この実施の形態による入退室管理装置によれば、空調装置５の運用スケジュールから部屋１の利用終了時刻を判断するとともに、利用終了時刻後に扉２の施錠状態を確認し、解錠状態であった場合には警報信号で知らせることができるので、セキュリティ性を高めることができる。また、警備員が定期的な巡回確認をする必要がなくなり、警備員の負担を軽減することができる。さらに、部屋１の利用終了時刻が過ぎてもなお部屋１が利用されている場合には、部屋１の利用者（テナント等）に注意を促すので、利用ルールを守らせる効果も得られる。
【００１６】
なお、施錠監視部が運用スケジュールから利用終了時刻を読む周期は、上記の例に限定されるものではなく、例えば、１時間毎、５分毎、又は１秒毎であってもよい。また、施錠監視動作を実行する度に、施錠監視動作がスケジュール記憶部から利用終了時刻を読むようにしてもよい。さらに、人為的に施錠監視部を操作することで利用終了時刻を読むようにしてもよい。
【００１７】
さらにまた、利用終了時刻が変更になった場合には、スケジュール記憶部から施錠監視部に割込信号を出力させ、この割込信号を契機として、施錠監視部は利用終了時刻を読むようにしてもよい。また、施錠監視部のメモリに格納された利用終了時刻を、スケジュール記憶部から直接書き換えてもよい。
【００１８】
さらに、電子錠が施錠されているかどうかを確認するのは、利用終了時刻直後でも、所定時間後（例えば、猶予時間として１時間）でもよい。
【図面の簡単な説明】
【００１９】
【図１】この発明の実施の形態の一例による入退室管理装置を示す構成図である。
【図２】図１の施錠監視部の施錠監視動作を示すフローチャートである。
【符号の説明】
【００２０】
１  部屋（入退室管理領域）、２  扉、５  空調装置（入退室管理領域に関する機器）、７  入退室管理装置、７ａ  施錠監視部。
【図１】
2006079431.tif 000003
【図２】
2006079431.tif 000004